(57)【要約】【課題】  ブロックを組み立てる楽しさと、組み立てた後、ブロック玩具を通す球体の動きを見て楽しむことができるブロック玩具を提供する。【解決手段】  直方体形状の本体部２１と、前記本体部２１における正方形形状とされた上面から突出する筒状の接続筒３１と、を有し、前記本体部２１は、その内部上方に球体通過空間４５を、内部下方には他のブロック体の接続筒を収納可能とする収納空間４３を有し、前記球体通過空間４５の上面となる上端面板２７、前記球体通過空間４つの側面となる前記本体部の４枚の側面板２３、前記球体通過空間の下面となる仕切り板４１、の６面の内の隣接する２面に貫通穴５１を有し、前記球体通過空間４５には、前記貫通穴５１を有する２面の交点を曲率中心軸線とする円弧形状の誘導板を有し、前記貫通穴５１の一方から他方へ前記誘導板によって球体を円滑に通過させるブロック体１０とする。【選択図】    図１
2020096769.tif 000002
【特許請求の範囲】
【請求項１】
直方体形状の本体部と、前記本体部における正方形形状とされた上面から突出する筒状の接続筒と、を有し、
前記本体部は、その内部上方に球体通過空間を、内部下方には他のブロック体の接続筒を収納可能とする収納空間を有し、
前記球体通過空間の上面となる上端面板、前記球体通過空間の４つの側面となる前記本体部の４枚の側面板、前記球体通過空間の下面となる仕切り板、の６面の内の隣接する２つの面に貫通穴を有し、
前記球体通過空間には、前記貫通穴を有する２つの面の交点を曲率中心軸線とする円弧形状の誘導板を有し、
前記貫通穴の一方から他方へ前記誘導板によって球体を円滑に通過させることを特徴とするブロック体。
【請求項２】
前記球体通過空間の前記貫通穴を有する２つの面に隣接する面であって且つ対向する２つの面に誘導リブを有し、前記誘導リブは、前記誘導板の曲率半径の略２分の１の曲率半径とされてその曲率中心を前記曲率中心軸線と一致させ、
前記貫通穴の一方から他方へ、前記誘導板と前記誘導リブとにより球体を円滑に通過させることを特徴とする請求項１に記載したブロック体。
【請求項３】
前記球体通過空間は、立方体形状であることを特徴とする請求項２に記載したブロック体。
【請求項４】
請求項１乃至請求項３の何れかに記載した前記球体通過空間の隣接した２つの面に前記貫通穴を有するブロック体である曲線ブロックの複数個と、前記曲線ブロックとするブロック体と同一大きさ同一形状とされて本体部及び接続筒を有して前記本体部に前記球体通過空間及び前記収納空間を有するブロック体であって、前記球体通過空間には球体を通過させる直線状の貫通パイプを備えて前記球体通過空間における対抗する２つの面に貫通穴を有する直線ブロックの複数個と、を有し、
且つ、前記曲線ブロックや直線ブロックの複数個を前記本体部の前記側面板を相互に重ね合わせるように接合した大きさ及び形状とされる連結ブロック、又は、前記曲線ブロックや直線ブロックの側面板を相互に密接させたときの前記接続筒を嵌入可能とする挿入穴を複数個有する連結プレートを、更に有することを特徴とするブロック玩具。
【請求項５】
前記曲線ブロック及び前記直線ブロックにおいて、前記球体通過空間の上面に貫通穴を有する前記曲線ブロック及び前記直線ブロックは、前記接続筒の内径を前記貫通穴の直径と同一とする筒形状とされ、前記球体通過空間の上面に貫通穴を有しない前記曲線ブロック及び前記直線ブロックは、前記接続筒の上端が閉鎖され又は前記接続筒の内部に補助リブを備えることを特徴とする請求項４に記載したブロック玩具。
【請求項６】
直方体形状の本体部と、前記本体部の上面から突出する複数の筒状の接続筒と、を有し、
複数の前記接続筒は、前後左右に複数個とされるとき、前後方向と左右方向における前記接続筒の間隔が同一とされ、前後や左右に３個以上の個数とされるとき、隣接する前記接続筒の前後や左右の相互の間隔を全て等間隔とし、
前記本体部の底面には、前記接続筒の個数と同数個の接続穴を有し、前記接続穴は、複数の前記接続筒における各接続筒と同軸とされ且つ前記接続筒の外形形状と等しい形状及び大きさ、又は外接円形状とされ、
前記本体部の内部には、球体を通過させる球体通過経路を有し、前記球体通過流路は、前記本体部の側面か、底面に設けた複数の前記接続穴か、上面に設けた複数の前記接続筒かの何れかに、両端を夫々開口し、前記本体部の前記球体通過流路に投入された球体を前記本体部から排出できるようにした、ことを特徴とするブロック体。
【発明の詳細な説明】
【技術分野】
【０００１】
本発明は、ブロックを積み上げるようにして結合し、各ブロックに設けた貫通穴を接続した通路に球体を通過させて遊ぶブロック玩具に関するものである。
【背景技術】
【０００２】
従来、直方体等のブロックを多数結合して立体形状を組み上げるブロック玩具が種々提案され、且つ、現実に提供されている。
【０００３】
これらのブロック玩具は、通常、直方体や立方体等のブロックを多数個用い、各ブロックを相互に結合し、全体で建物や人形等の形状を形成して遊ぶものが多い。
【０００４】
また、各ブロックにボールが通る通路を形成し、通路を有する多数のブロックを相互に結合して立体的な迷路を形成可能とするブロック玩具も提案されている（例えば特許文献１）。
【先行技術文献】
【特許文献】
【０００５】
【特許文献１】実開昭６２−６１２７９号公報
【発明の概要】
【発明が解決しようとする課題】
【０００６】
多数のブロックを結合して建物や人形等の形状を形成するブロック玩具は、所定の形状を形成するまでの組立作業を楽しむことはできるも、建物等を完成させた後は、鑑賞するだけで見飽きることがあった。
【０００７】
また、ボールが通る通路を有するブロックを組み立てる立体迷路は、ボールが袋小路で止まってしまうことが多く、楽しみに欠けることがあった。
【０００８】
本発明に係るブロック玩具は、このような欠点を排し、ブロックを組み立てる楽しさと、組み立てた後、ブロック玩具を通す球体の動きを見て楽しむことができるブロック玩具と、このブロック玩具に用いる製造容易なブロック体とを提供するものである。
【課題を解決するための手段】
【０００９】
本発明に係るブロック体は、直方体形状の本体部と、前記本体部における正方形形状とされた上面から突出する筒状の接続筒と、を有し、前記本体部は、その内部上方に球体通過空間を、内部下方には他のブロック体の接続筒を収納可能とする収納空間を有し、前記球体通過空間の上面となる上端面板、前記球体通過空間の４つの側面となる前記本体部の４枚の側面板、前記球体通過空間の下面となる仕切り板、の６面の内の隣接する２つの面に貫通穴を有し、前記球体通過空間には、前記貫通穴を有する２つの面の交点を曲率中心軸線とする円弧形状の誘導板を有し、前記貫通穴の一方から他方へ前記誘導板によって球体を円滑に通過させるブロック体とするものである。
【００１０】
そして、前記球体通過空間の前記貫通穴を有する２つの面に隣接する面であって且つ対向する２つの面に誘導リブを有し、前記誘導リブは、前記誘導板の曲率半径の略２分の１の曲率半径とされてその曲率中心を前記曲率中心軸線と一致させ、前記貫通穴の一方から他方へ、前記誘導板と前記誘導リブとにより球体を円滑に通過させるブロック体とすることもある。
【００１１】
更に、このブロック体の前記球体通過空間は、立方体形状とすることもある。
【００１２】
又、本発明に係るブロック玩具は、前記球体通過空間の隣接した２つの面に前記貫通穴を有するブロック体である曲線ブロックの複数個と、前記曲線ブロックとするブロック体と同一大きさ同一形状とされて本体部及び接続筒を有して前記本体部に前記球体通過空間及び前記収納空間を有するブロック体であって、前記球体通過空間には球体を通過させる直線状の貫通パイプを備えて前記球体通過空間における対抗する２つの面に貫通穴を有する直線ブロックの複数個と、を有し、且つ、前記曲線ブロックや直線ブロックの複数個を前記本体部の前記側面板を相互に重ね合わせるように接合した大きさ及び形状とされる連結ブロック、又は、前記曲線ブロックや直線ブロックの側面板を相互に密接させたときの前記接続筒を嵌入可能とする挿入穴を複数個有する連結プレートを、更に有するブロック玩具である。
【００１３】
そして、前記曲線ブロック及び前記直線ブロックにおいて、前記球体通過空間の上面に貫通穴を有する前記曲線ブロック及び前記直線ブロックは、前記接続筒の内径を前記貫通穴の直径と同一とする筒形状とされ、前記球体通過空間の上面に貫通穴を有しない前記曲線ブロック及び前記直線ブロックは、前記接続筒の上端が閉鎖され又は前記接続筒の内部に補助リブを備えることがある。
【００１４】
また、本発明に係るブロック体として、直方体形状の本体部と、前記本体部の上面から突出する複数の筒状の接続筒と、を有し、複数の前記接続筒は、前後左右に複数個とされるとき、前後方向と左右方向における前記接続筒の間隔が同一とされ、前後や左右に３個以上の個数とされるとき、隣接する前記接続筒の前後や左右の相互の間隔を全て等間隔とし、前記本体部の底面には、前記接続筒の個数と同数個の接続穴を有し、前記接続穴は、複数の前記接続筒における各接続筒と同軸とされ且つ前記接続筒の外径形状と等しい形状及び大きさ、又は外接円形状とされ、前記本体部の内部には、球体を通過させる球体通過経路を有し、前記球体通過流路は、前記本体部の側面か、底面に設けた複数の前記接続穴か、上面に設けた複数の前記接続筒かの何れかに、両端を夫々開口し、前記本体部の前記球体通過流路に投入された球体を前記本体部から排出できるようにした、ブロック体とすることもある。
【発明の効果】
【００１５】
本発明に係るブロック体は、本体部の上面から突出する接続筒を有すると共に、本体部の内部下方に他のブロック体の接続筒を収納可能な収納空間を有しているため、当該ブロック体を上下に積み重ねて本体部を連結させることができる。また、本体部の球体通過空間は隣接する２面に貫通穴を有すると共に貫通穴を有する２面の交点を曲率中心軸線とした湾曲面とされる誘導板を有しているため、一方の貫通穴から他方の貫通穴の球体を通過させて球体の進行方向を９０度変化させることができる。
【００１６】
そして、誘導板の曲率半径の２分の１の曲率半径を有して曲率中心を誘導板の曲率中心軸と一致させた誘導リブを、貫通穴を有する２つの面に隣接して対向する２面に形成すれば、誘導板により球体の進行方向を変更させるとき、進路変更方向の外側を誘導板により規制すると共に、球体の両側方を誘導リブにより規制して出口となる貫通穴へ円滑に球体を移動させることができ、球体をブロック体の出口とした貫通穴から確実に排出することができる。
【００１７】
更に、球体通過空間を立方体とすることにより、球体通過空間の上面と側面とに貫通穴を有するブロック体と、隣接する２つの側面に貫通穴を有するブロック体と、側面と下面に貫通穴を有するブロック体との、何れのブロック体においても、同一曲率半径で誘導板や誘導リブを設けることができ、ブロック体の設計を容易とすると共にブロック体を組み合わせて球体通過経路を形成するときも、経路全体の組合せを容易にイメージしてブロック体を結合させることができる。
【００１８】
又、本発明に係るブロック玩具は、ブロック体を球体が通過する際に進行方向を９０度変化させる曲線ブロックの複数個と、ブロック体を球体が通過する際、進行方向を変化させない直線ブロックの複数個と、及び、ブロック体を水平方向に結合させる連結ブロック又は連結プレートを有するため、ブロック体を前後左右及び上下方向に複数個連結したブロック塊を作成することができ、曲線ブロックと直線ブロックとの組み合わせにより立体的な球体通過経路を容易に組み立てることができる。
【００１９】
そして、球体通過空間の上面に貫通穴を有して接続筒を球体が通過するブロック体は、接続筒の内径を貫通穴の直径と同一として球体の通過を確実とし、球体通過空間の上面に貫通穴を有することなく接続筒に球体を通過させないブロック体は、接続筒の上端を閉鎖し、又は、接続筒の内部に補助リブを有するため、外観を見るだけで接続筒を球体が通過できないことを理解することができる。このため、多くのブロック体を用いて球体通過経路を形成するに際し、接続筒を球体が通過可能か不可能かを一目見て判別することができ、上下にブロック体を結合するとき、球体通過経路を不連続とするブロック体の結合を行うことを容易に防止できる。
【００２０】
また、複数の接続筒を本体部の上面に有し、本体部の下面に接続筒と同数の接続穴を有するブロック体は、接続筒と接続穴とにより上下方向にブロック体を相互に結合させることができ、且つ、複数の接続筒の内の一部の接続筒を他のブロック体の接続穴と結合させることにより、横方向に接続筒を増加させてブロック塊として水平方向にブロック体を展開させることができる。また、接続筒や側面板、接続穴に開口する球体通過経路を有しているため、当該ブロック体に球体を通過させて遊ぶこともできる。
【図面の簡単な説明】
【００２１】
【図１】本発明に係るブロック体の一例を示す外観斜視図。
【図２】本発明に係る曲線ブロックとしての上横曲線ブロックの例を示す半断面斜視図。
【図３】本発明に係る曲線ブロックとしての水平曲線ブロックの例を示す半断面斜視図。
【図４】本発明に係る曲線ブロックとしての横下曲線ブロックの例を示す半断面斜視図。
【図５】本発明に係る直線ブロックとしての上下直線ブロックの例を示す半断面斜視図。
【図６】本発明に係る直線ブロックとしての水平直線ブロックの例を示す半断面斜視図。
【図７】本発明に係る連結ブロックの例を示す外観斜視図。
【図８】本発明に係る連結プレートの例を示す外観斜視図。
【図９】本発明に係る連結ブロックを用いてブロック体を組み立てる一例を示す模式図。
【図１０】本発明に係る連結プレートを用いてブロック体を組み立てる一例を示す模式図。
【図１１】本発明に係るブロック体を組み立てて球体の通過経路を形成した一例を示す模式図。
【発明を実施するための形態】
【００２２】
本発明に係るブロック玩具の実施の形態は、図１に示すように、正四角柱の直方体形状とされる本体部２１を有し、この本体部２１の正方形とされた端面から円柱状に突出する接続筒３１を備えたブロック体１０の複数個を備えるものである。
【００２３】
尚、ブロック体１０の説明に際し、接続筒３１を上方とし、本体部２１を下方として説明すると共に、長方形の４つの側面は図面上の左側を左、右側を右とし、図面上の斜視図における手前方向を前方、図面上斜視図の奥方向を後方として説明する。
【００２４】
この本体部２１は、その内部の上方に直方体形状の球体通過空間４５を備え、球体通過空間４５の下方に収納空間４３を有するものである。この球体通過空間４５は球体を通過させる通路を形成するものであり、収納空間４３は、他のブロック体１０の接続筒３１を収納可能とするものである。
【００２５】
そして、このブロック体１０は、球体通過空間４５の周囲６面中の２面に貫通穴５１を有し、この２つの貫通穴５１の位置により上横曲線ブロック１１、水平曲線ブロック１２、横下曲線ブロック１３、上下直線ブロック１４、水平直線ブロック１５、とされる。
【００２６】
この上横曲線ブロック１１は、球体通過空間４５の上方、即ち接続筒３１の下端位置に貫通穴５１を有すると共に、球体通過空間４５の側方、即ち前後左右の何れかの側面板２３に貫通穴５１を有するものである。図１及び図２に示すブロック体１０は、球体通過空間４５の上面を形成する上端面板２７と右側の側面板２３とに貫通穴５１を有する上横曲線ブロック１１である。
【００２７】
また、水平曲線ブロック１２は、球体通過空間４５の側方の２か所に貫通穴５１を有するものであって、図３に示すように、例えば後方の側面板２３と右側の側面板２３の様に、貫通穴５１を有する側面板２３が隣接しているものである。
【００２８】
そして、横下曲線ブロック１３は、球体通過空間４５の側方、即ち前後左右の何れかの側面板２３に貫通穴５１を有すると共に、図４に示すように、球体通過空間４５の下方、即ち収納空間４３との区切り部分である仕切り板４１に貫通穴５１を有するものである。
【００２９】
更に、上下直線ブロック１４は、図５に示すように、球体通過空間４５の上方、即ち接続筒３１の下端位置に貫通穴５１を有して接続筒３１の内径と同一内径を有する貫通パイプ５３を有すると共に、球体通過空間４５の下方即ち収納空間４３との区切り部分となる貫通パイプ５３の下端を、貫通穴５１とするものである。
【００３０】
更にまた、水平直線ブロック１５は、図６に示すように、球体通過空間４５の側方の２か所に貫通穴５１を有するものであって、貫通穴５１を有する側面板２３が球体通過空間４５の対向する面を形成し、貫通穴５１を結ぶ貫通パイプ５３を球体通過空間４５に有しているものである。
【００３１】
このブロック玩具のブロック体１０とする上横曲線ブロック１１は、図１に示したように、長方形の４枚の側面板２３で前後左右が覆われた本体部２１の下端に、正方形の底面板２５を有し、底面板２５の中央に接続穴３５を有するものであって、接続穴３５の直径は接続筒３１の外径と等しくしているものである。
【００３２】
また、図１及び図２に示すように、本体部２１の上端に上端面板２７を有し、上端面板２７の中央には貫通穴５１を有して上端面板２７から上方に突出する接続筒３１を備える。この接続筒３１は中空の円筒体であり、接続筒３１の内径を貫通穴５１の直径と一致させて接続筒３１の内腔を貫通穴５１に連続させるものである。
【００３３】
更に、右の側面板２３にも貫通穴５１を有し、上端面板２７に設けた貫通穴５１の中心から上端面板２７の右端までの距離と、右側の側面板２３に設けた貫通穴５１の中心から右側の側面板２３の上端までの距離とを、等しくしているものである。
【００３４】
即ち、球体通過空間４５を立方体形状とし、正方形とされる６面の内の隣接する２面に同一直径の貫通穴５１を設け、この貫通穴５１は、球体通過空間４５の正方形とされた６個の側面の内、隣接する２つの正方形とされた面の中心に各々貫通穴５１の円中心を合わせているものである。また、接続筒３１の外径は球体通過空間４５の稜線の長さと同一又は僅かに小さくしているものである。
【００３５】
そして、球体通過空間４５と収納空間４３との間に仕切り板４１を有し、仕切り板４１の下面から側面板２３の下端までの長さを、上端面板２７の上面から接続筒３１の上端までの長さと等しく又は僅かに長くするものである。
【００３６】
このため、他のブロック体１０の接続筒３１を当該ブロック体１０の接続穴３５に挿入したとき、他のブロック体１０の上端面板２７の上面を当該ブロック体１０の底面板２５の下面に当接して、他のブロック体１０の上に当該ブロック体１０を重ねて当該ブロックの収納空間４３に他のブロック体１０の接続筒３１を収納可能としているものである。
【００３７】
また、直方体の球体通過空間４５内には、誘導板５５及び誘導リブ５７を形成しているものである。
【００３８】
この誘導板５５は、図２に示したように、後方の側面板２３から図示しない前方の側面板２３に至る前後幅を有し、上端面板２７の左端から右の側面板２３における仕切り板４１の位置に至る湾曲板である。
【００３９】
この湾曲板とした誘導板５５は、上端面板２７と右側の側面板２３との交点である球体通過空間４５における右上隅角の直方体稜線を曲率中心軸線Ａとする円弧形状とされる。そして、その上端を上端面板２７に設けた貫通穴５１の接線位置とし、右下の下端は右の側面板２３に設けた貫通穴５１の接線位置とするものである。
【００４０】
また、誘導リブ５７は、後ろの側面板２３から突出させるものであり、その突出端を上端面板２７に設けた貫通穴５１の接線位置とし、右下の下端における突出端を右の側面板２３に設けた貫通穴５１の接線位置として、球体通過空間４５における右上隅角の直方体稜線位置に位置する曲率中心軸線Ａを有する円弧形状とされるものである。
【００４１】
更に、この誘導リブ５７は、図示されない前方の側面板２３からも後方の側面板２３に設けた誘導リブ５７と対称に同一形状同一大きさで突出させるものである。
【００４２】
この為、上端面板２７に設けた貫通穴５１から右の側面板２３に設けた貫通穴５１に向かって、誘導板５５により接続筒３１の内面から滑らかに連続した曲面を形成することができる。更に、この誘導板５５の曲率半径の約２分の１とする曲率半径の誘導リブ５７により、前後の幅を貫通穴５１の直径と等しい幅とする球体の通過路を形成することができる。
【００４３】
従って、接続筒３１の内径よりも僅かに直径の小さな球体を接続筒３１に挿入すると、球体は接続筒３１の内部から上端面板２７に設けた貫通穴５１を通り、誘導板５５により右の側面板２３に設けた貫通穴５１に向かうこととなる。そして、誘導リブ５７により前後を規制され、右の側面板２３に設けた貫通穴５１から円滑に排出されることになる。
【００４４】
尚、図１及び図２に示した上横曲線ブロック１１は、円筒状の接続筒３１としているも、接続筒３１の外形は四角形、八角形、十二角形等の多角形とすることもある。多角形の筒状とする場合にも、接続筒３１の内腔は、貫通穴５１の直径と等しい直径を有する円柱空間とすることが球体の通過を滑らかとするために好ましい。
【００４５】
そして、本体部２１の底面板２５に設ける接続穴３５は、接続筒３１の外形を多角形の筒状とする場合、接続筒３１の外形に一致した形状及び大きさとして接続筒３１を挿入可能とする場合や、接続筒３１とした筒状体の外接円を形成する円形とするものである。
【００４６】
また、図３に示した隣接する２つの側面板２３に貫通穴５１を有する水平曲線ブロック１２も、本体部２１及び接続筒３１の外形形状及び大きさを図１に示した上横曲線ブロック１１と同一形状及び同一大きさとしているものである。
【００４７】
この水平曲線ブロック１２は、側面板２３に設ける貫通穴５１の直径を上横曲線ブロック１１に設けた貫通穴５１の直径と同一の直径とし、４枚の側面板２３の内の隣接する２枚の側面板２３に貫通穴５１を設けるものである。そして、球体通過空間４５に誘導板５５及び誘導リブ５７を有することも、上横曲線ブロック１１と同様である。
【００４８】
この２枚の側面板２３に貫通穴５１を有する水平曲線ブロック１２の誘導板５５は、仕切り板４１から上端面板２７までの高さとされる幅を有し、隣接する２つの側面板２３の交点を曲率中心軸線Ａとし、例えば後ろの側面板２３と右の側面板２３に貫通穴５１を有する水平曲線ブロック１２の場合、図３に示されたように、後方の側面板２３の左端から図示されない右の側面板２３の前端に至る湾曲板とされるものである。
【００４９】
そして、誘導リブ５７は、貫通穴５１を設けた後方の側面板２３及び右の側面板２３に隣接する面を形成する仕切り板４１や上端面板２７の内面に設けるものである。更に、誘導リブ５７は、誘導板５５の曲率中心軸線Ａを曲率中心とし、曲率半径を誘導板５５の曲率半径の約２分の１とするものであって、誘導リブ５７の突出端を後方の側面板２３や右の側面板２３に設けた貫通穴５１の接線位置とする突出高さとして形成されるものである。
【００５０】
また、球体通過空間４５の下方に配置した収納空間４３には、接続筒３１の外径に等しい内径とされる円筒状の筒受壁３７を仕切り板４１の下面から四方の側面板２３の下端に至る長さとして有し、筒受壁３７の下端を接続穴３５とするものである。そして、接続筒３１の内部には十字型の補助リブ３９を設けて接続筒３１の内部を閉鎖しているものである。
【００５１】
従って、外観上、十字型の補助リブ３９により接続筒３１に球体を挿入できないことを明らかとしている。また、２枚の側面板２３に設けた貫通穴５１を用いて、貫通穴５１よりも僅かに径の小さな球体を誘導板５５及び誘導リブ５７により一方の貫通穴５１から他方の貫通穴５１に円滑に通過させることができるものである。
【００５２】
尚、筒受壁３７の形状は、接続筒３１を多角形とした場合には、接続筒３１の外形形状に合わせて同一形状同一大きさの多角形として接続筒３１を収納可能とする場合や、多角形形状の接続筒３１の外接円を形成する円筒形形状として、その下端を接続穴３５とするものである。
【００５３】
そして、図４に示した横下曲線ブロック１３も、本体部２１及び接続筒３１の外形形状及び大きさを、図１に示した上横曲線ブロック１１と同一形状及び同一大きさとされるものである。
【００５４】
更に、この横下曲線ブロック１３は、側面板２３と仕切り板４１とに貫通穴５１を有するものであり、この貫通穴５１の直径は、上横曲線ブロック１１に設けた貫通穴５１の直径と同一の直径として側面板２３と仕切り板４１とに設けるものである。
【００５５】
そして、図４に示したように、接続筒３１の上端を平板状の先端板３３により閉鎖し、例えば右の側面板２３の上端から左の側面板２３における仕切り板４１の位置に至る湾曲板である誘導板５５を有すると共に、後ろの側面板２３と図示しない前方の側面板２３に誘導リブ５７を有するものである。
【００５６】
この右の側面板２３や仕切り板４１に設ける貫通穴５１の大きさや、誘導板５５が後ろの側面板２３から前方の側面板２３に至る幅とされること、また、曲率中心軸線Ａを貫通穴５１が設けられた右の側面板２３と仕切り板４１との交点とされる球体通過空間４５の右下稜線位置とされること、及び、誘導リブ５７も誘導板５５と同一曲率中心軸を有して曲率半径が誘導板５５の２分の１とされ、誘導板５５の端部及び誘導リブ５７の突出端が貫通穴５１の接線位置とされること等は、上横曲線ブロック１１や水平曲線ブロック１２と同様である。
【００５７】
また、上下直線ブロック１４も、本体部２１及び接続筒３１の外形形状及び大きさを図１に示した上横曲線ブロック１１と同一形状及び同一大きさとされるものである。
【００５８】
この上下直線ブロック１４は、図５に示したように、接続筒３１の内径と同一内径を有し、且つ、接続筒３１と同軸とされる直線円筒状の貫通パイプ５３を球体通過空間４５に有し、貫通パイプ５３の上端を貫通穴５１として接続筒３１に連接し、貫通パイプ５３の下端も貫通穴５１として収納空間４３に設ける円筒状の筒受壁３７に連接するものである。
【００５９】
この筒受壁３７は、円筒状とされた接続筒３１の外径に等しい内径を有する円筒であって、接続筒３１の長さと等しい長さ又は僅かに長い長さとされ、筒受壁３７の下端を接続穴３５としているものである。そして、貫通パイプ５３及び筒受壁３７の周囲を４枚の側面板２３で囲うことにより、上下直線ブロック１４における直方体形状の本体部２１を形成しているものである。
【００６０】
尚、接続筒３１の外形を多角形の筒状とする場合、筒受壁３７の内面形状は、接続筒３１の外形と同一形状同一大きさの多角形とする場合や、接続筒３１の多角形に外接する円を形成する円筒形状として、その下端を接続穴３５とするものであることは、横下曲線ブロック１３の筒受壁３７と同様である。
【００６１】
更に、水平直線ブロック１５も、本体部２１及び接続筒３１の外形形状及び大きさを図１に示した上横曲線ブロック１１と同一形状及び同一大きさとされるものである。
【００６２】
この水平直線ブロック１５は、図６に示したように、対抗する位置の２枚の側面板２３に貫通穴５１を有し、球体通過空間４５に直線状の貫通パイプ５３を有し、この貫通パイプ５３の両端を、例えば左の側面板２３と右の側面板２３の様に対向する側面板２３の貫通穴５１に位置させるものである。
【００６３】
そして、接続筒３１の内部に十字型の補助リブ３９を備え、収納空間４３には筒受壁３７を備えて筒受壁３７の下端を接続穴３５とし、他のブロック体１０の接続筒３１を収納可能としているものである。
【００６４】
この水平直線ブロック１５における筒受壁３７も、水平曲線ブロック１２や上下直線ブロック１４の筒受壁３７と同様に、接続筒３１が円筒形及び多角形の場合、その内部形状を接続筒３１の外形と同一形状同一大きさの円形や多角形とし、接続筒３１が多角形の場合は外接円形状とすることもあるものである。
【００６５】
この様に、本発明に係るブロック玩具の各ブロック体１０は、直方体形状の本体部２１と円筒形状の接続筒３１を備えて同一外形同一大きさとされるブロック体１０であり、本体部２１の内部上方に立方体形状の球体通過空間４５を有し、球体通過空間４５の下方には収納空間４３を有して他のブロック体１０の接続筒３１を収納可能としているものである。
【００６６】
従って、特定のブロック体１０の接続筒３１を他のブロック体１０の底面板２５に設けた接続穴３５に挿入して、他のブロック体１０の収納空間４３に特定のブロック体１０の接続筒３１を収納させると、特定のブロック体１０の本体部２１の上方に他のブロック体１０の本体部２１を連続させるように積み重ねて２つのブロック体１０を上下に結合させることができる。
【００６７】
また、このブロック体１０は、球体通過空間４５の隣接する２つの面に貫通穴５１を夫々有する上横曲線ブロック１１、水平曲線ブロック１２、横下曲線ブロック１３とされる曲線ブロックと、球体通過空間４５の対抗する２つの面に貫通穴５１を夫々有する上下直線ブロック１４及び水平直線ブロック１５とされた直線ブロックとされるものである。
【００６８】
従って、例えば上横曲線ブロック１１や上下直線ブロック１４の様に球体通過空間４５の上面に貫通穴５１を有して接続筒３１に球体を通過可能とするブロック体１０の上に、横下曲線ブロック１３や上下直線ブロック１４の様に球体通過空間４５から収納空間４３を介して本体部２１の下方に球体を排出可能とされるブロック体１０を重ねるように接続することにより、少なくとも２個のブロック体１０の内部において上下に連続した球体の通過経路を形成することができる。
【００６９】
そして、このブロック体１０は、平板状の側面板２３、上端面板２７、底面板２５、仕切り板４１で本体部２１を形成し、且つ、直線円筒状の貫通パイプ５３や接続筒３１により水平や垂直方向へ直線的な球体の通過経路を形成し、直線円筒状の接続筒３１や筒受壁３７により接続部を形成する直線板状及び直線筒状のみで形成可能とされる直線ブロックと、曲線ブロックとの組み合わせとされ、球体の方向を変化させる曲線ブロックは、曲線ブロックにおける経路を円弧状板状体の誘導板５５や誘導リブ５７で形成するものである。従って、全てのブロック体１０を平板と直線状筒体との組み合わせとしており、ブロック体１０の成型製造を容易とすることができるものである。
【００７０】
また、本体部２１の内部を球体通過空間４５と収納空間４３とし、球体通過空間４５に板状の誘導板５５及び突出部としての誘導リブ５７を形成するものであるから、ブロック体１０の材料使用量を少なくして軽量なブロック体１０とすることができるものである。
【００７１】
尚、このブロックは、無色又は有色の透明又は半透明として、ブロック体１０の内部を通過する球体が外部から見えるようにしているものである。
【００７２】
また、上横曲線ブロック１１、水平曲線ブロック１２、横下曲線ブロック１３とした曲線ブロックは、球体通過空間４５において、貫通穴５１を有する２つの面に隣接して対向する２面とされる２つの側面板２３、又は、対向する２面である上端面板２７と仕切り板４１、の肉厚を厚くして対向面の距離を短くすることもある。
【００７３】
この場合、球体通過空間４５に誘導リブ５７を設けることなく、対向する２つの側面板２３、又は上下に対向した上端面板２７と仕切り板４１、の内側面を貫通穴５１の接線面とするようにして、球体通過空間４５の幅を狭め、球体の通過に際して球体の両側面方向の動きを規制し、球体を円滑に通過させるものである。
【００７４】
そして、１枚又は２枚の側面板２３に貫通穴５１を有する曲線ブロックや水平直線ブロック１５では、側面板２３の貫通穴５１を相互に突き合わせるように２個のブロック体１０の側面板２３を密着させることにより、横方向に連続した球体の通路を形成することができる。
【００７５】
この様に、側面板２３の貫通穴５１を相互に突き合わせるように２個のブロック体１０を水平方向に密接させて固定する場合には、図７に示すような２連ブロック６２、４連ブロック６４、６連ブロック６６、等の連結ブロックを用いるか、図８に示すような２穴プレート７２、３穴プレート７３、４穴プレート７４、等、複数の挿入穴７９を有する連結プレートを用いるものである。
【００７６】
この２連ブロック６２は、図７の（Ａ）に示すように、前述のブロック体１０を２個接続した形状とし、直方体の本体部２１における上面から２個の接続筒３１を突出させているものである。また、４連ブロック６４は、図７の（Ｂ）に示すように、前述のブロック体１０を前後に２個、左右に２個として曲線ブロックや直線ブロックの４個を接続した形状として本体部２１の上面から４個の接続筒３１を突出させているものである。更に、６連ブロック６６は、図７の（Ｃ）に示すように、前述のブロック体１０を２行３列とするようにして曲線ブロックや直線ブロックの６個を接続した形状として本体部２１の上面から６個の接続筒３１を突出させているものである。
【００７７】
尚、曲線ブロックや直線ブロックとするブロック体１０の接続筒３１を多角形の筒状とする場合、連結ブロックの上面に設ける複数の接続筒３１も、曲線ブロックや直線ブロックの接続筒３１と同形同大の多角形とするものである。
【００７８】
そして、この連結ブロックは、その本体部２１の底面において、曲線ブロックや直線ブロックと同様に円筒形の接続筒３１の外径に等しい直径の接続穴３５又は多角形とされた接続筒３１の外接円と等しい直径の円形や、接続筒３１と同形同大の多角形とされる接続穴３５を、各接続筒３１の中心軸線と同軸として接続筒３１の個数と同じ個数だけ有するものである。
【００７９】
尚、この図７に示した連結ブロックは、本体部２１内に球体通過空間４５を有しない連結ブロックであるも、適宜、接続筒３１の下端位置や側面板２３、連結穴３５に連続する筒受壁３７の上端等に貫通穴５１を形成するようにして、接続筒３１の内部及び本体部２１の内部に球体の通過経路を形成することもある。
【００８０】
この様に連結ブロックにおいて球体の通過経路を形成する場合、接続筒３１の下端に貫通穴５１を有しない接続筒３１は、上端を先端板３３により閉鎖するか、又は、補助リブ３９を設けて接続筒３１の内部を閉鎖し、球体を通過させることのできない接続筒３１であることを明確としておくものである。
【００８１】
また、連結ブロックにおける接続筒３１の個数は、図７に示した２個、４個、６個に限るものではない。例えば、１列に３個や４個、又は４個２列の８個、３個３列の９個、等々、適宜の複数個を有する連結ブロックとすることもある。
【００８２】
そして、この２連ブロック６２、４連ブロック６４、６連ブロック６６、等の連結ブロックを用いて前後左右上下に複数のブロック体１０を結合したブロック塊を形成するに際しては、図９に示すように、例えば６連ブロック６６の端の２個の接続筒３１を他の６連ブロック６６の端の２個の接続穴３５等に挿入して、水平方向に５個を２列とし、水平面方向に１０個のブロック体１０を結合可能とすることができるものである。
【００８３】
更に、図９に示したように、このブロック塊の上方においても、適宜、２連ブロック６２や４連ブロック６４、その他図示しない連結ブロックを配置し、図９に示した左右方向や、左右に限ることなく図示しない前後方向にもブロック体１０を追加増設可能として、ブロック塊を広げることができるものである。
【００８４】
また、連接プレートを用いる場合は、図８の（Ｂ）に示す２穴プレート７２を用いれば２個のブロック体１０を横方向に連結可能とし、図８の（Ｃ）や（Ｄ）に示す３穴プレート７３や４穴プレート７４を用いれば、３個又は４個のブロック体１０を水平方向に連結可能とし、図８の（Ｅ）に示す６穴プレート７６を用いれば６個のブロック体１０を水平方向に連結することができるものである。
【００８５】
そしてスペーサ―プレート７１は、ブロック体１０の接続筒３１の外径に等しい直径の挿入穴７９、又は、多角形とされた接続筒３１に対しては外接円を形成する円形や接続筒３１と同形同大の多角形とした挿入穴７９を１個だけ備えるものであり、１個の挿入穴７９を中央に有する正方形の板状体であって、板状体の大きさはブロック体１０の本体部２１上面と同一の大きさとされるものである。
【００８６】
また、連結プレートは、接続筒３１の外径に等しい直径又は外接円や同一多角形形状の挿入穴７９を２個以上備えるものである。そして、この挿入穴７９の相互の間隔は、ブロック体１０における本体部２１の側面板２３を相互に密接させたときの相互に密接したブロック体１０における接続筒３１の相互の間隔と等しくしているものである。
【００８７】
更に、この連結プレートの大きさは、挿入穴７９が２列の場合はスペーサ―プレート７１の幅の２倍の幅とし、３列の場合はスペーサ―プレート７１の幅の３倍の幅とするものであり、１列に２個、３個、４個の挿入穴７９を有する場合は、正方形とされたスペーサ―プレート７１の幅の２倍、３倍、４倍の長さとされ、前後左右に等間隔とされる挿入穴７９を有するものである。
【００８８】
この連結プレートの挿入穴７９の個数も、図９に示した２個、３個、４個、６個に限ることなく、３個３列として９個、５個２列として１０個、３個４列として１２個、等々、適宜の複数個とすることができるものである。
【００８９】
そして、１枚の連結プレートにより前後左右に複数個のブロック体１０を結合する場合に限るものでなく、図１０に示すように、例えば４穴プレート７４を５枚用いることとし、４穴プレート７４の１枚を他の４枚のプレートの一部に重ね、前後左右方向に各々４個の挿入穴７９を並べて水平面方向に１６個のブロック体１０を連結するブロック塊の様に、前後左右に連結可能とする個数を増加させることもできる。
【００９０】
この場合、連結プレートを２枚重ねた部分と１枚だけの部分とでは、プレートの厚みが異なるため、図１０に示した１６個の挿入穴７９における周囲１２個の挿入穴７９の部分には、スペーサ―プレート７１又は２穴プレート７２や３穴プレート７３等、適宜のプレートを重ね、プレート全体の厚みを均一とするものである。
【００９１】
従って、連結プレートを挿入したブロック塊において、水平方向に隣接するブロック体１０は連結プレートよりも下方のブロック体１０の高さ及び連結プレートよりも上方のブロック体１０の全てのブロック体１０の高さを揃えることができる。この為、各ブロック体１０の側面板２３に設けた貫通穴５１の高さを、水平方向に隣接させて相互に接するブロック体１０において揃えることができるものである。
【００９２】
そして、この曲線ブロックや直線ブロックの複数個と、連結ブロック又は連結プレートを組み合わせたブロック玩具は、連結ブロックや連結プレートにより前後左右にブロック体１０を結合し、下段のブロック体１０の接続筒３１を上段のブロック体１０の収納空間４３に収納して上下方向に結合させ、図１１に示すように、前後左右上下に複数個のブロック体１０を連結したブロック塊とすることができる。
【００９３】
そして、例えば図１１の右下の手前隅（Ｘ６・Ｙ１・Ｚ１）に左右方向の貫通パイプ５３を有する水平直線ブロック１５を配置し、その左（Ｘ５・Ｙ１・Ｚ１）に上横曲線ブロック１１を、その上（Ｘ５・Ｙ２・Ｚ１）に横下曲線ブロック１３を、その後方（Ｘ５・Ｙ２・Ｚ２）に水平直線ブロック１５を配置する。
【００９４】
更に、その後方（Ｘ５・Ｙ２・Ｚ３）及び後方左（Ｘ４・Ｙ２・Ｚ３）に水平曲線ブロック１２を、その前方（Ｘ４・Ｙ２・Ｚ２）と更にその上方（Ｘ４・Ｙ３・Ｚ２）に上横曲線ブロック１１及び横下曲線ブロック１３を、その左（Ｘ３・Ｙ３・Ｚ２）に横下曲線ブロック１３、その下（Ｘ３・Ｙ２・Ｚ２）と下の左（Ｘ２・Ｙ２・Ｚ２）に上横曲線ブロック１１、その上（Ｘ２・Ｙ３・Ｚ２）に上下直線ブロック１４、その上（Ｘ２・Ｙ４・Ｚ２）に横曲線ブロック、その後方（Ｘ２・Ｙ４・Ｚ３）及び後方左（Ｘ１・Ｙ４・Ｚ３）に水平曲線ブロック１２、その前方（Ｘ１・Ｙ４・Ｚ２）に水平直線ブロック１５、その前方（Ｘ１・Ｙ４・Ｚ１）に上横曲線ブロック１１、その上（Ｘ１・Ｙ５・Ｚ１）に横下曲線ブロック１３、その右（Ｘ２・Ｙ５・Ｚ１）に上横曲線ブロック１１を配置することにより、最上位から最下位のブロック体１０まで１本の連続した球体通路を形成することができる。
【００９５】
従って、最上段の左から２番目の前列（Ｘ２・Ｙ５・Ｚ１）に配置したブロック体１０の接続筒３１から球体を挿入すると、各ブロック体１０の球体通過空間４５を通過するように水平方向に移動し、また、球体通過空間４５と接続筒３１の内部で垂直方向に落下して順次各ブロック体１０を通過して最下段の右前隅角（Ｘ６・Ｙ１・Ｚ１）に配置したブロック体１０の側方から球体が排出されることになる。
【００９６】
この様に各ブロック体１０の貫通穴５１を相互に一致させるように合わせて１本の経路を形成するように、同一形状とされる本体部２１と接続筒３１を有するブロック体１０を組み合わせてブロック塊を作成するに際し、球体が通路に沿って落下しつつ通路の湾曲状態に合わせて通路を通過するように経路を組み立てるパズルのような楽しみを得ることができる。
【００９７】
また、最上段の接続筒３１又は貫通穴５１から球体を挿入して各ブロック体１０を通過移動する玉の動きを見、最下段のブロック体１０の側面板２３に設けた貫通穴５１から球体が排出される達成感や成功感を味わって楽しむこともできる。
【産業上の利用可能性】
【００９８】
本発明に係るブロック玩具は、複数のブロック体１０を組み合わせて立体的な球体が通過する通路を組み立てることができ、組み立てたブロック塊の内部の曲がりくねった通路を球体が通過する様を見て楽しく遊ぶことができる玩具である。
【符号の説明】
【００９９】
１０  ブロック体
１１  上横曲線ブロック              １２  水平曲線ブロック
１３  横下曲線ブロック              １４  上下直線ブロック
１５  水平直線ブロック
２１  本体部
２３  側面板                        ２５  底面板
２７  上端面板
３１  接続筒                        ３３  先端板
３５  接続穴                        ３７  筒受壁
３９  補助リブ
４１  仕切り板                      ４３  収納空間
４５  球体通過空間
５１  貫通穴                        ５３  貫通パイプ
５５  誘導板                        ５７  誘導リブ
６２  ２連ブロック                  ６４  ４連ブロック
６６  ６連ブロック
７１  スペーサ―プレート
７２  ２穴プレート                  ７３  ３穴プレート
７４  ４穴プレート                  ７６  ６穴プレート
７９  挿入穴
Ａ  曲率中心軸線
【図１】
2020096769.tif 000003
【図２】
2020096769.tif 000004
【図３】
2020096769.tif 000005
【図４】
2020096769.tif 000006
【図５】
2020096769.tif 000007
【図６】
2020096769.tif 000008
【図７】
2020096769.tif 000009
【図８】
2020096769.tif 000010
【図９】
2020096769.tif 000011
【図１０】
2020096769.tif 000012
【図１１】
2020096769.tif 000013